(57)【要約】【課題】循環路におけるドレン水が通過した箇所を適正に洗浄することができるものでありながら、洗浄のための湯水が無駄に消費されることを回避することが可能となる風呂給湯設備を提供する。【解決手段】潜熱回収式の熱交換部Ｎ２を経由する循環路Ｊを通して浴槽５内の湯水を循環させる循環ポンプ２６と、熱交換部Ｎ２における潜熱回収により発生するドレンを貯留するドレンタンク６と、ドレンタンク６を循環路Ｊに接続するドレン排水路５０と、循環路開放状態とドレン排水状態とに切り換え自在な三方弁２９と、循環路側からドレンタンク側への逆流を阻止する逆止弁５１とが設けられ、循環路Ｊにおける循環ポンプ２６の設置箇所とドレン排水路５０の接続箇所との間に相当する部分に湯張り路２２が接続され、ドレン排出運転の後に三方弁２９をドレン排水状態に切り換えた状態で、湯張り路２２を通して循環路Ｊに湯水を供給するパージ運転を実行する。【選択図】図１
2008008587.tif 000002
【特許請求の範囲】
【請求項１】
加熱用バーナにて加熱される潜熱回収式の熱交換部を経由する循環路を通して浴槽内の湯水を循環させる循環ポンプと、
給水部と前記循環路とを前記熱交換部を経由して接続する湯張り路と、
前記熱交換部における潜熱回収により発生するドレンを貯留するドレンタンクと、
前記ドレンタンクを前記循環路における前記循環ポンプの設置箇所よりも湯水循環方向上手側箇所に接続するドレン排水路と、
前記ドレン排水路と前記循環路との連通を遮断し且つ前記循環路を連通状態とする循環路開放状態と、前記ドレン排水路と前記循環路とを連通し且つ前記循環路における前記ドレン排水路の接続箇所よりも湯水循環方向上手側部分と湯水循環方向下手側部分との連通を遮断するドレン排水状態とに切り換え自在な三方弁と、
前記加熱用バーナ、前記循環ポンプ、及び、前記三方弁の作動を制御して、前記湯張り路及び前記循環路を通して湯水を前記浴槽に供給する湯張り運転、前記循環路を通して前記浴槽内の湯水を循環させる追焚運転、及び、前記ドレンタンクに貯留したドレンを前記ドレン排水路及び前記循環路を通して排出するドレン排出運転の夫々を実行する運転制御手段とが設けられた風呂給湯設備であって、
前記ドレン排水路に、前記循環路側から前記ドレンタンク側への逆流を阻止する逆止弁が設けられ、
前記循環路における前記循環ポンプの設置箇所と前記ドレン排水路の接続箇所との間に相当する部分に、前記湯張り路が接続され、
前記運転制御手段が、前記ドレン排出運転の後に、前記三方弁をドレン排水状態に切り換えた状態で、前記湯張り路を通して前記循環路に湯水を供給するパージ運転を実行するように構成されている風呂給湯設備。
【請求項２】
前記運転制御手段が、前記ドレン排出運転の後で且つ前記パージ運転を実行する前に、前記三方弁を前記循環路開放状態に切り換えた状態で、前記循環路における前記ドレン排水路の接続箇所よりも湯水循環方向上手側部分に存在する湯水を前記循環路における前記ドレン排水路の接続箇所よりも湯水循環方向下手側部分に流動させるべく、前記循環ポンプを作動させる先パージ運転を実行するように構成されている風呂給湯設備。
【請求項３】
前記循環路における前記湯張り路の接続箇所から湯水流動方向下手側に前記浴槽に至るまでの通路部分の内容積を、前記パージ運転において前記循環路を通流する湯水の単位時間当たりの流量にて除した時間、又は、その時間に余裕用設定時間を加えた時間が、パージ用設定時間として設定され、
前記運転制御手段が、前記パージ運転を前記パージ用設定時間が経過するまで実行するように構成されている請求項１又は２記載の風呂給湯設備。
【請求項４】
前記運転制御手段が、前記パージ運転において、前記加熱用バーナの加熱を停止するように構成されている請求項１〜３のいずれか１項に記載の風呂給湯設備。
【発明の詳細な説明】
【技術分野】
【０００１】
本発明は、加熱用バーナにて加熱される潜熱回収式の熱交換部を経由する循環路を通して浴槽内の湯水を循環させる循環ポンプと、給水部と前記循環路とを前記熱交換部を経由して接続する湯張り路と、前記熱交換部における潜熱回収により発生するドレンを貯留するドレンタンクと、前記ドレンタンクを前記循環路における前記循環ポンプの設置箇所よりも湯水循環方向上手側箇所に接続するドレン排水路と、前記ドレン排水路と前記循環路との連通を遮断し且つ前記循環路を連通状態とする循環路開放状態と、前記ドレン排水路と前記循環路とを連通し且つ前記循環路における前記ドレン排水路の接続箇所よりも湯水循環方向上手側部分と湯水循環方向下手側部分との連通を遮断するドレン排水状態とに切り換え自在な三方弁と、前記加熱バーナ、前記循環ポンプ、及び、前記三方弁の作動を制御して、前記湯張り路及び前記循環路を通して湯水を前記浴槽に供給する湯張り運転、前記循環路を通して前記浴槽内の湯水を循環させる追焚運転、及び、前記ドレンタンクに貯留したドレンを前記ドレン排水路及び前記循環路を通して排出するドレン排出運転の夫々を実行する運転制御手段とが設けられた風呂給湯設備に関する。
【背景技術】
【０００２】
上記風呂給湯設備は、湯張り路及び循環路を通して湯水を浴槽に供給する湯張り運転や循環路を通して浴槽内の湯水を循環させる追焚運転を実行するときに、潜熱回収式の熱交換部にて潜熱を回収するときに生成されたドレン水をドレンタンクにて貯留する構成となっている。そして、浴槽内の湯水を循環させるために設けられる循環路及び循環ポンプを利用して、ドレンタンクに貯留されているドレン水を排出させるドレン排出運転を実行する構成となっている。
【０００３】
すなわち、前記ドレン排出運転では、前記三方弁を前記ドレン排水状態に切り換えて前記循環ポンプを作動させることにより、ドレンタンクに貯留しているドレン水をドレン排水路及び循環路におけるドレン排水路との接続箇所よりも湯水循環方向下手側部分を通過させて外部に排出させるのである。
【０００４】
このような風呂給湯設備において、従来では、ドレン水を排出させる処理が終了したのちに、前記湯張り路を通して前記循環路に湯水を供給するパージ運転を実行するようにしたものがあり、そのパージ運転として、前記三方弁を前記循環路開放状態に切り換えた状態で前記湯張り路を通して湯水を供給するようにしたものがあった（例えば、特許文献１参照。）。
【０００５】
説明を加えると、パージ運転を行うときは、前記湯張り路を通して供給される湯水を循環路を通流させて外部に排出させるのである。そのとき、前記三方弁が前記循環路開放状態に切り換えられているので、湯張り路を通して供給される湯水は、湯張り路の接続箇所から循環路における湯水循環方向下手側部分並びに湯水循環方向上手側部分の両側の通路に通流することになる。
【０００６】
【特許文献１】特開２００５−３３７５４４号公報
【発明の開示】
【発明が解決しようとする課題】
【０００７】
上述したように、ドレン水は循環路におけるドレン排水路との接続箇所よりも湯水循環方向下手側部分を通過するので、循環路における前記湯水循環方向下手側部分に対応する通路に湯水を通流することでドレン水通過箇所を洗浄することが可能である。
しかしながら、上記従来構成においては、前記パージ運転を行う際に、湯張り路を通して供給される湯水は、前記湯張り路の接続箇所から循環路における湯水循環方向下手側部分並びに湯水循環方向上手側部分の両側の通路に通流することになるから、ドレン水通過箇所に対応する通路、すなわち、前記湯水循環方向下手側部分及び前記湯水循環方向上手側部分のうちのいずれか一方に対してドレン水通過箇所を洗浄するのに充分な量の湯水を通流させると、他方側の通路に対しても同量の湯水が通流することになり、湯水が無駄に消費されてしまう不利がある。
【０００８】
本発明の目的は、循環路におけるドレン水が通過した箇所を洗浄することができるものでありながら、洗浄のための湯水が無駄に消費されることを回避することが可能となる風呂給湯設備を提供する点にある。
【課題を解決するための手段】
【０００９】
本発明に係る風呂給湯設備は、加熱用バーナにて加熱される潜熱回収式の熱交換部を経由する循環路を通して浴槽内の湯水を循環させる循環ポンプと、
給水部と前記循環路とを前記熱交換部を経由して接続する湯張り路と、
前記熱交換部における潜熱回収により発生するドレンを貯留するドレンタンクと、
前記ドレンタンクを前記循環路における前記循環ポンプの接続箇所よりも湯水循環方向上手側箇所に接続するドレン排水路と、
前記ドレン排水路と前記循環路との連通を遮断し且つ前記循環路を連通状態とする循環路開放状態と、前記ドレン排水路と前記循環路とを連通し且つ前記循環路における前記ドレン排水路の接続箇所よりも湯水循環方向上手側部分と湯水循環方向下手側部分との連通を遮断するドレン排水状態とに切り換え自在な三方弁と、
前記加熱バーナ、前記循環ポンプ、及び、前記三方弁の作動を制御して、前記湯張り路及び前記循環路を通して湯水を前記浴槽に供給する湯張り運転、前記循環路を通して前記浴槽内の湯水を循環させる追焚運転、及び、前記ドレンタンクに貯留したドレンを前記ドレン排水路及び前記循環路を通して排出するドレン排出運転の夫々を実行する運転制御手段とが設けられたものであって、その第１特徴構成は、
前記ドレン排水路に、前記循環路側から前記ドレンタンク側への逆流を阻止する逆止弁が設けられ、
前記循環路における前記循環ポンプの設置箇所と前記ドレン排水路の接続箇所との間に相当する部分に、前記湯張り路が接続され、
前記運転制御手段が、前記ドレン排出運転の後に、前記三方弁をドレン排水状態に切り換えた状態で、前記湯張り路を通して前記循環路に湯水を供給するパージ運転を実行するように構成されている点にある。
【００１０】
第１特徴構成によれば、運転制御手段がドレン排出運転の後にパージ運転を実行する。すなわち、三方弁をドレン排水状態に切り換えた状態で湯張り路を通して循環路に湯水を供給するのである。そのとき、三方弁がドレン排水状態に切り換えられているので、ドレンタンクが接続されるドレン排水路と循環路とが連通する状態となり、しかも、循環路におけるドレン排水路の接続箇所よりも湯水循環方向上手側部分と湯水循環方向下手側部分との連通が遮断されることから、ドレン排水路は湯水循環方向下手側部分に接続されて、湯水循環方向上手側部分とは遮断されることになる。又、前記湯張り路は、循環路における循環ポンプの設置箇所とドレン排水路の接続箇所との間に相当する部分に接続されているから、湯張り路を通して供給される湯水は、循環路における湯張り路との接続箇所よりも湯水循環方向下手側部分を通して流動して、例えば浴槽を通して外部に排出されることになる。
【００１１】
そのとき、三方弁によってドレン排水路の接続箇所よりも湯水循環方向上手側部分と湯水循環方向下手側部分との連通が遮断されているから、湯張り路を通して供給される湯水はドレン排水路の接続箇所よりも湯水循環方向上手側部分を通して流動することはない。又、ドレン排水路と循環路とは連通する状態になっているものの、ドレン排水路には循環路側からドレンタンク側への逆流を阻止する逆止弁が設けられているから、湯張り路を通して供給される湯水がドレン排水路を通してドレンタンク側に流動することはない。
【００１２】
前記ドレン排出運転では、三方弁をドレン排水状態に切り換えて循環ポンプを作動させることにより、ドレンタンクに貯留しているドレン水をドレン排水路及び循環路におけるドレン排水路との接続箇所よりも湯水循環方向下手側部分を通過させて外部に排出させることになるから、前記パージ運転において、湯張り路を通して供給される湯水は、ドレン排水時にドレン水が通過した循環路における湯水循環方向下手側部分だけを通過して、ドレン水通過箇所を洗浄することができ、循環路における湯水循環方向上手側部分へ湯水が通流することはなく、湯水が無駄に消費されることがない。
【００１３】
従って、循環路におけるドレン水が通過した箇所を洗浄することができるものでありながら、洗浄のための湯水が無駄に消費されることを回避することが可能となる風呂給湯設備を提供できるに至った。
【００１４】
本発明の第２特徴構成は、第１特徴構成に加えて、前記運転制御手段が、前記ドレン排出運転の後で且つ前記パージ運転を実行する前に、前記三方弁を前記循環路開放状態に切り換えた状態で、前記循環路における前記ドレン排水路の接続箇所よりも湯水循環方向上手側部分に存在する湯水を前記循環路における前記ドレン排水路の接続箇所よりも湯水循環方向下手側部分に流動させるべく、前記循環ポンプを作動させる先パージ運転を実行するように構成されている点にある。
【００１５】
第２特徴構成によれば、運転制御手段は、前記ドレン排出運転の後で且つ前記パージ運転を実行する前に先パージ運転を実行する。すなわち、三方弁を前記循環路開放状態に切り換えた状態で前記循環ポンプを作動させて、循環路におけるドレン排水路の接続箇所よりも湯水循環方向上手側部分に存在する湯水を循環路におけるドレン排水路の接続箇所よりも湯水循環方向下手側部分に流動させるのである。
【００１６】
説明を加えると、湯張りしたのちに浴槽内の湯水を排出させた場合であっても、ドレン排水路の接続箇所よりも湯水循環方向上手側部分に湯水が一部残ることになる。そこで、前記パージ運転を実行する前に三方弁を前記循環路開放状態に切り換えた状態で前記循環ポンプを作動させることによって、このような残存水を湯水循環方向下手側部分に流動させて、循環路におけるドレン排水路の接続箇所と循環路における湯張り路の接続箇所との間を洗浄することが可能となる。
【００１７】
従って、第２特徴構成によれば、循環路内の残り水を利用して循環路におけるドレン排水路の接続箇所と循環路における湯張り路の接続箇所との間を洗浄することが可能となる。
【００１８】
本発明の第３特徴構成は、第１特徴構成又は第２特徴構成に加えて、前記循環路における前記湯張り路の接続箇所から湯水流動方向下手側に前記浴槽に至るまでの通路部分の内容積を、前記パージ運転において前記循環路を通流する湯水の単位時間当たりの流量にて除した時間、又は、その時間に余裕用設定時間を加えた時間が、パージ用設定時間として設定され、前記運転制御手段が、前記パージ運転を前記パージ用設定時間が経過するまで実行するように構成されている点にある。
【００１９】
第３特徴構成によれば、運転制御手段はパージ運転をパージ用設定時間が経過するまで実行する。このパージ用設定時間は、循環路における湯張り路からの湯水供給箇所から湯水流動方向下手側に浴槽に至るまでの通路部分の内容積を、パージ運転において循環路を通流する湯水の単位時間当たりの流量にて除した時間、又は、その時間に余裕用設定時間を加えた時間である。すなわち、循環路における湯張り路からの湯水供給箇所から湯水流動方向下手側に浴槽に至るまでの通路部分の全領域を確実に湯水が通過することができる時間であり、しかも、そのうちの最も短い時間に対応する時間である。つまり、循環路における湯張り路からの湯水供給箇所から湯水流動方向下手側に浴槽に至るまでの通路部分を洗浄するのに必要な最小限度の量の湯水が通流するのに必要な時間に抑制するようにしているのである。
【００２０】
従って、洗浄に使用される湯水の量を必要最小限の使用量に抑制することができ、洗浄のための湯水が無駄に消費されることを的確に回避することが可能となる。
【００２１】
本発明の第４特徴構成は、第１特徴構成〜第３特徴構成のいずれかに加えて、前記運転制御手段が、前記パージ運転において、前記加熱用バーナの加熱を停止するように構成されている点にある。
【００２２】
第４特徴構成によれば、前記パージ運転においては、熱交換部を経由して湯張り路を通して通流する湯水は外部に排出されるのであるが、このパージ運転において加熱用バーナの加熱を停止するようにしたから、洗浄のために外部に排出される湯水を無駄に加熱することがない。
【００２３】
従って、第４特徴構成によれば、バーナに対する燃料を無駄に消費することがなく、燃料の無駄な消費を回避することができる。
【発明を実施するための最良の形態】
【００２４】
以下、本発明の実施形態を図面に基づいて説明する。
図１に本発明に係る風呂給湯設備を示している。この風呂給湯設備は、一般家庭用の水道管に接続された給水路１からの水をガス燃焼式のバーナｇ１によって加熱して、加熱後の湯水を先端に給湯栓２を備えた給湯路３に供給する給湯用加熱部Ａと、浴槽５内の湯水をガス燃焼式のバーナｇ２によって加熱して追焚きする追焚用動作部Ｂとを備えている。そして、これらの給湯用加熱部Ａ及び追焚用動作部Ｂは、いずれも上下２段に配置した主熱交換器Ｎ１および潜熱回収式熱交換器Ｎ２を備えて構成され、潜熱回収式熱交換器Ｎ２にて熱交換にされた後の燃焼排ガスは排気路７を通して外部に排出されるように構成されている。
【００２５】
前記潜熱回収式熱交換器Ｎ２からは、潜熱回収によって酸性の凝縮水であるドレン水が生成されるが、このドレン水はドレンパン８によって集められて中和器９に一時貯留される構成となっている。そして、この中和器９は、詳述はしないがドレン水に対して中和作用する中和剤（例えば、炭酸カルシウム）が装填されており、その中和した後のドレン水をドレンタンク６において貯留する構成となっている。
【００２６】
前記給湯用加熱部Ａ及び追焚用動作部Ｂには、各バーナｇ１、ｇ２に一般家庭用の燃料ガスを供給するガス供給路Ｇが接続され、燃料ガス供給量を調整する電磁式のガス比例弁１０、燃料ガスの供給断続する断続弁１１が設けられている。前記バーナｇ１、ｇ２に燃焼用空気を供給する燃焼用ファン１２も設けられ、バーナｇ１の近くには、バーナｇ１に対する点火動作を実行する点火用のイグナイタと着火されたか否かを検出するフレームロッドなどが設けられている。
【００２７】
前記給湯用加熱部Ａには、給水路１と、主熱交換器Ｎ１および潜熱回収式熱交換器Ｎ２を通過した後に加熱後の湯水を出湯する給湯路３とが接続され、給水路１を通して供給される水が熱交換されて所望の温度の湯水が給湯路３を通して供給されるように構成されている。
【００２８】
前記給水路１には、給水温度を検出する給水サ−ミスタ１３と給水量を検出する水量センサ１４とが設けられ、給水サ−ミスタ１３と水量センサ１４より下流側の給水路１と給湯路３とが、熱交換器Ｎ１，Ｎ２を迂回するように給水バイパス路１５を介して接続されている。さらに、給湯路３には、上流側から順に、給湯用加熱部Ａからの湯水の温度を検出する給湯サ−ミスタ１６と、熱交換器からの湯量と給水バイパス路１５からの水量との混合比を調整するミキシング弁１７と、ミキシング弁１７により混合された後の湯水の温度を検出する出湯サ−ミスタ１８と、湯水の量を調整する水比例弁１９と、一般給湯の割込みを検出する割込み水量センサ２０とが設けられている。前記水比例弁１９と割込み水量センサ２０との間の給湯路３から給湯路３からの湯水を浴槽５に供給するための風呂用の湯張り路２２が分岐接続されている。
【００２９】
前記追焚用動作部Ｂには、浴槽５からの浴槽用戻り路２３と浴槽用往き路２４が接続され、浴槽用戻り路２３と浴槽用往き路２４とが浴槽内の湯水を循環させるための循環路Ｊとして構成されている。そして、浴槽用戻り路２３と浴槽用往き路２４とは、風呂アダプタ２５を介して浴槽５に接続され、浴槽用戻り路２３に設けられた循環ポンプ２６を駆動することにより、浴槽５内の湯水を浴槽用戻り路２３と浴槽用往き路２４を介して循環させながら、追焚用動作部Ｂで追焚加熱するように構成されている。
【００３０】
前記浴槽用戻り路２３には、上流側から順に、圧力を検出することによって浴槽５内の水位を検出する水位検出手段としての水位センサ２７と、浴槽５内の湯水の温度を検出する浴槽温検出手段としての戻りサ−ミスタ２８と、後述するようなドレン排水路５０との間での接続状態を切り換える三方弁２９、湯水循環用の循環ポンプ２６と、水流スイッチ３０とが設けられ、浴槽用往き路２４には、浴槽用の往きサ−ミスタ３１が設けられている。
【００３１】
従って、前記追焚用動作部Ｂにおけるバーナｇ２が加熱用バーナを構成し、追焚用動作部Ｂにおける潜熱回収式熱交換器Ｎ２が潜熱回収式の熱交換部を構成する。
【００３２】
前記三方弁２９は、ドレン排水路５０と循環路Ｊとの連通を遮断し且つ循環路Ｊを連通状態とする循環路開放状態（図３及び図４参照）と、ドレン排水路５０と循環路Ｊとを連通し且つ循環路Ｊにおけるドレン排水路５０の接続箇所よりも湯水循環方向上手側部分と湯水循環方向下手側部分との連通を遮断するドレン排水状態（図５参照）とに切り換え自在に構成されている。
【００３３】
前記風呂用の湯張り路２２には、上流側から湯張り路２２を開閉する湯張り電磁弁３２と湯張り逆止弁３３とが設けられている。なお、前記湯張り路２２は、水供給源からの水を浴槽５内に供給する供給路としても作用する。前記湯張り電磁弁３２と湯張り逆止弁３３との間には空気層形成用ホッパ３４が介装されている。
【００３４】
そして、前記ドレンタンク６を循環路Ｊを構成する浴槽用戻り路２３における循環ポンプ２６の設置箇所よりも湯水循環方向上手側箇所に接続するドレン排水路５０が設けられ、このドレン排水路５０には、浴槽用戻り路２３側からドレンタンク６側への逆流を阻止する逆止弁５１が設けられている。従って、前記湯張り路２２は、循環路Ｊを構成する浴槽用戻り路２３における循環ポンプ２６の設置箇所とドレン排水路５０の接続箇所との間に相当する部分に接続されることになる。
【００３５】
運転状態を制御する制御手段としての運転制御部Ｈ１が、マイクロコンピュータを備えて、室内に設置されたリモコン装置Ｒ１との間で通信可能な状態で設けられている。リモコン装置Ｒ１には、運転の開始と停止を指令する運転スイッチ３７、自動運転を指令する自動スイッチ３８、一般給湯温度を設定する温度設定スイッチ３９、浴槽５内の目標水位を設定する水位設定スイッチ４０、浴槽に追加で湯張り給湯する足し湯スイッチ４１、追焚運転を指令する追焚スイッチ４２等が設けられている。
【００３６】
前記運転制御部Ｈ１による制御内容について説明する。
運転制御部Ｈ１は、リモコン装置Ｒ１の運転スイッチ３７が操作されると制御可能な状態になり、給湯栓２が開操作されると給湯栓２から湯水を給湯する一般給湯運転制御を実行する。そして、リモコン装置Ｒ１の自動スイッチ３８が操作されると自動運転、つまり、後述する湯張り運転、追焚運転、キープ運転の夫々を実行する。又、足し湯スイッチ４１が操作されると足し湯運転を実行し、追焚スイッチ４２が操作されると追焚運転を実行する。
【００３７】
又、運転制御部Ｈ１は、ドレン水を排出すべきタイミングになると、ドレンタンク６に貯留したドレンをドレン排水路５０及び循環路Ｊを通して排出するドレン排出運転を実行するように構成され、そのドレン排出運転の後に、三方弁２９を循環路開放状態に切り換えた状態で、循環路Ｊにおけるドレン排水路５０の接続箇所よりも湯水循環方向上手側部分に存在する湯水を循環路Ｊにおけるドレン排水路５０の接続箇所よりも湯水循環方向下手側部分に流動させるべく循環ポンプ２６を作動させる先パージ運転を実行し、その先パージ運転の後に、三方弁２９をドレン排水状態に切り換えた状態で、湯張り路２２を通して循環路Ｊに湯水を供給するパージ運転を実行するように構成されている。
【００３８】
前記一般給湯運転について説明を加えると、運転制御部Ｈ１は、給湯栓２が開き操作されて水量センサ１４による検出水量が燃焼開始用設定水量以上になると、給湯用加熱部Ａにおける燃焼用ファン１２を駆動した後、断続弁１１を開弁し、ガス比例弁１０の開度を調整してイグナイタによりバーナｇ１に点火し、温度設定スイッチ３９による設定温度、給水サ−ミスタ１３による検出水温、水量センサ１４による検出水量などに基づいて、ガス比例弁１０の開度が調整され、かつ、ミキシング弁１７の開度も調整されて給湯温度が設定温度になるように燃料供給量を制御する。通水が検出されなくなると、ガス比例弁１０と断続弁１１を閉弁してバーナｇ１の燃焼を停止し、燃焼用ファン１２も停止して一般給湯運転を終了する。
【００３９】
次に、自動運転について説明する。この自動運転では、先ず、風呂への湯張り運転を実行する。つまり、湯張り電磁弁３２を開き操作して浴槽５への湯水の供給を開始すると、上述の一般給湯運転と同様にバーナｇ１に点火して燃料供給量を調整しながら浴槽５に設定温度の湯水を供給する。そのとき、湯水は、図３に示すように、浴槽用戻り路２３と浴槽用往き路２４と夫々通流する状態で湯張りが行われることになる。そして、水位センサ２７の検出水位が設定水位以上になると、バーナｇ１の燃焼を停止し、且つ、湯張り電磁弁３２を閉弁して湯張りを終了する。
【００４０】
湯張りが終了すると追焚運転を実行する。つまり、図４に示すように、追焚用の循環ポンプ２６を駆動させ、浴槽５内の湯水を浴槽用戻り路２３、追焚用加熱部Ｂ、浴槽用往き路２４を介して循環させ、戻りサーミスタ２８の検出温度が温度設定スイッチ４２による設定温度になるようにバーナｇ２への燃料供給量を制御する。戻りサ−ミスタ２８の検出温度がリモコン装置Ｒの温度設定スイッチ４２による設定温度に達すると、ガス比例弁１０と断続弁１１を閉弁させ、バーナｇ２の燃焼を停止させて、一定時間経過後に燃焼用ファン１２を停止させて追焚き運転を終了する。
【００４１】
その後、引き続いて、設定時間の間キープ運転が実行される。このキープ運転は、浴槽５内の湯温と水位とを設定された状態にキープするように、水位センサ２７により浴槽５内の水位を検出し、この検出水位が設定水位になるように浴槽５へ給湯し、且つ、追焚用循環ポンプ２６を駆動させて浴槽５内の湯水を浴槽用戻り路２３と浴槽用往き路２４などを介して循環させ、戻りサ−ミスタ２８の検出温度が設定温度になるように給湯運転のときと同様に追焚き用加熱部Ｂにおけるバーナｇ２の燃焼状態を制御する。
【００４２】
前記足し湯運転では、浴槽５の水位が設定水位になるように浴槽５に湯張り運転を実行して設定水位になると給湯を停止する。又、追焚スイッチ４２が操作されて行われる追焚運転においては前記自動運転における追焚運転と同じ制御を実行する。
【００４３】
次に、前記ドレン排出運転、前記先パージ運転、及び前記パージ運転の運転制御部Ｈ１における具体的な動作について、フローチャートを参照しながら説明する。
図２に示すように、運転制御部Ｈ１は、ドレン水を排出すべき排出タイミングであるか否かを判別する（ステップ１）。この排出タイミングとしては、浴槽５内に湯水が存在していない状態であり、ドレンタンク６内に貯留されているドレン水を排出する必要があると想定されるタイミングである。例えば、湯張り運転の後、水位センサ２７の検出値により浴槽５内の湯の排出が終了したことを判別したとき等である。
【００４４】
ドレン水を排出すべき排出タイミングであれば、三方弁２９を前記ドレン排水状態に切り換える（ステップ２）。つまり、ドレン排水路５０と循環路Ｊとを連通し且つ循環路Ｊにおけるドレン排水路５０の接続箇所よりも湯水循環方向上手側部分と湯水循環方向下手側部分との連通を遮断する状態である。さらに説明を加えると、前記ドレン排水状態とは、前記三方弁２９が、ドレン排水路５０と循環路Ｊにおける三方弁２９よりも湯水循環方向下手側部分とを接続し、且つ、循環路Ｊにおける三方弁２９よりも湯水循環方向下手側部分と湯水循環方向上手側部分との連通を遮断する状態である。
【００４５】
次に、循環ポンプ２６の作動を開始する（ステップ３）。つまり、図５に示すように、ドレンタンク６内に貯留されているドレン水を、ドレン排水路５０、三方弁２９及び循環路Ｊにおける三方弁２９よりも湯水循環方向下手側部分を通過するように流動させて浴槽５を介して排出口から外部に排出するのである。循環ポンプ２６を作動開始してから排水用設定時間が経過すると、循環ポンプ２６の作動を停止する（ステップ４、５）。排水用設定時間は、ドレンタンク６の容量の違いや循環ポンプ２６の能力により異なるが、一般的には、例えば、数秒〜数十秒程度の時間である。ステップ２〜５の処理がドレン排出運転に対応する。
【００４６】
前記ドレン排出運転が終了すると、三方弁２９を前記循環路開放状態に切り換えて、循環ポンプ２６の作動を開始する（ステップ６、７）。つまり、図６に示すように、循環路Ｊにおけるドレン排水路５０の接続箇所よりも湯水循環方向上手側部分に存在する湯水を循環路Ｊにおけるドレン排水路５０の接続箇所よりも湯水循環方向下手側部分に流動させ、浴槽５を通して外部に排出させる。循環ポンプ２６を作動開始してから先パージ用設定時間が経過すると、循環ポンプ２６の作動を停止する（ステップ８、９）。先パージ用設定時間は、排水用設定時間と同様に、ドレンタンク６の容量の違いや循環ポンプ２６の能力により異なるが、一般的には、例えば、数秒〜数十秒程度の時間である。ステップ６〜９の処理が先パージ運転に対応する。この先パージ運転を実行することによって、循環路Ｊにおけるドレン排水路５０の接続箇所と循環路Ｊにおける湯張り路２２の接続箇所との間を洗浄することができる。
【００４７】
前記先パージ運転が終了すると、パージ運転を実行する。すなわち、三方弁２９を前記ドレン排水状態に切り換え、湯張り電磁弁３２を開弁して湯張り路２２から湯水を供給する（ステップ１０、１１）。このパージ運転においては、水量センサ１４による検出水量が燃焼開始用設定水量以上になることがあっても、バーナｇ２による加熱を停止して湯水の加熱作動は実行しない構成となっている。
【００４８】
湯張り路２２から供給される湯水は、図７に示すように、循環路Ｊにおける湯張り路２２との接続箇所よりも湯水循環方向下手側部分を流動することになり、浴槽５を通して外部に排出することになる。循環路Ｊとドレン排水路５０とは連通状態となっているが、逆止弁５１が存在することから湯水はドレンタンク６側に流動することは阻止され、しかも、湯水が循環路Ｊにおける湯張り路２２との接続箇所よりも湯水循環方向上手側部分を流動することも阻止される。
【００４９】
湯水の供給を開始してからパージ用設定時間が経過すると、湯水の供給を停止させ、三方弁２９を前記循環路開放状態に切り換えて、パージ運転を終了する（ステップ１２、１３、１４）。前記パージ用設定時間は、循環路Ｊにおける湯張り路２２の接続箇所から湯水流動方向下手側に浴槽５に至るまでの通路部分の内容積を、パージ運転において循環路Ｊを通流する湯水の単位時間当たりの流量にて除した時間に余裕用設定時間を加えた時間が、パージ用設定時間として設定される。
【００５０】
説明を加えると、前記パージ用設定時間Ｔは、下記数１によって算出される。
【００５１】
【数１】
2008008587.tif 000003
【００５２】
数１中の「パージ配管容積」は、循環路Ｊにおける湯張り路の接続箇所から湯水流動方向下手側に浴槽に至るまでの通路部分の内容積のことであり、「配管総延長」は、循環路Ｊにおける湯張り路の接続箇所から湯水流動方向下手側に浴槽に至るまでの通路部分の合計の長さである。「パージ配管径」は、循環路Ｊにおける配管の内径である。又、「パージ水量」は、湯張り路を通して通流される湯水の単位時間当たりの流量であり、水量センサにて検出される水量である。ちなみに、配管径としては、一般的に約１０ｍｍ程度であり、配管の総延長としては、給湯設備が設置されるときの状況により異なるが、機種毎に予め設定した固定の値を設定するようにしてもよく、切り換えスイッチ等によって、現実の設置状態に近い値を選択できるように複数の段階に切り換えて設定するようにしてもよい。数１中の「α」は余裕用設定時間である。
【００５３】
上記したような先パージ運転並びにパージ運転を実行することにより、循環路Ｊ内においてドレン水が通過した箇所を水道水によって洗浄することができる。
【００５４】
〔別実施形態〕
以下、別実施形態を列記する。
【００５５】
（１）上記実施形態では、前記運転制御手段が、前記ドレン排出運転の後で且つ前記パージ運転を実行する前に、前記先パージ運転を実行するように構成したが、このような先パージ運転を実行しない構成としてもよい。この場合、前記循環路における前記湯張り路の接続箇所と前記ドレン排水路の接続箇所とをできるだけ近づいた状態で設けるようにするとよい。
【００５６】
（２）上記実施形態では、前記運転制御手段が、前記パージ運転において、前記加熱用バーナの加熱を停止するように構成したが、前記パージ運転を行うときにも加熱用バーナの加熱を実行する構成としてもよい。
【００５７】
（３）上記実施形態では、前記パージ用設定時間は、循環路Ｊにおける湯張り路２２の接続箇所から湯水流動方向下手側に浴槽５に至るまでの通路部分の内容積を、パージ運転において循環路Ｊを通流する湯水の単位時間当たりの流量にて除した時間に余裕用設定時間を加えた時間をパージ用設定時間として設定したが、余裕用設定時間を加えることなく、前記通路部分の内容積を前記湯水の単位時間当たりの流量にて除した時間をパージ用設定時間として設定してもよい。
【００５８】
（４）上記実施形態では、ドレン水を排出すべき排出タイミングとして、湯張り運転の後浴槽内の湯の排出が終了したときを例示したが、このような構成に限らず、例えば、リモコン装置にドレン排水を指令するスイッチを備えて、操作者が浴槽に水がないときに適宜指令する構成としてもよい。そのとき、ドレンタンク内のドレン量が設定量以上であればそのことを報知するようにしておくとよい。
【００５９】
（５）上記実施形態では、前記潜熱回収式の熱交換部として、ガス燃焼式のバーナにて加熱される熱交換器を備えて、その熱交換器にて加熱される湯水を循環路を通して浴槽に循環させるように構成したが、このような構成に代えて、例えば、ガス燃焼式のバーナにて加熱された湯水と液々熱交換器を介して熱交換された湯水を循環路を通して浴槽に循環させる構成としてもよく、循環される湯水を加熱するための構成は適宜変更して実施することができる。又、湯張り路を通して供給される湯水についても同様に、ガス燃焼式のバーナにて加熱された湯水と液々熱交換器を介して熱交換された湯水を浴槽に供給する構成としてもよい。
【図面の簡単な説明】
【００６０】
【図１】給湯設備の概略構成図
【図２】制御動作のフローチャート
【図３】湯張り運転における通流状態を示す図
【図４】追焚運転における通流状態を示す図
【図５】ドレン排水運転における通流状態を示す図
【図６】先パージ運転における通流状態を示す図
【図７】パージ運転における通流状態を示す図
【符号の説明】
【００６１】
６        ドレンタンク
２２      湯張り路
２６      循環ポンプ
２９      三方弁
５０      ドレン排水路
５１      逆止弁
ｇ２      加熱用バーナ
Ｊ        循環路
Ｈ１      運転制御手段
Ｎ２      熱交換器
【図１】
2008008587.tif 000004
【図２】
2008008587.tif 000005
【図３】
2008008587.tif 000006
【図４】
2008008587.tif 000007
【図５】
2008008587.tif 000008
【図６】
2008008587.tif 000009
【図７】
2008008587.tif 000010